(57)【要約】  【課題】  【解決手段】  吸水性材料を具えるシートと；このシートのエッジから外側に延在するフードを具え、前記シートを前記フードに対してコンパクトに折りたたんで、グローブを形成することができるタオル。【選択図】    図１
2008502381.tif 000002
【特許請求の範囲】
【請求項１】
吸水性材料を具えるシートと；
前記シートのエッジから外側に延在するフードと；
を具えるタオルにおいて、
前記シートを前記フードに対してコンパクトに折りたたんで、グローブを形成することを特徴とするタオル。
【請求項２】
請求項１に記載のタオルにおいて、前記グローブが前記シートを束にして折りたたんで、この束を前記フードの開口を介して前記フードの中に詰めることによって形成されることを特徴とするタオル。
【請求項３】
請求項２に記載のタオルにおいて、前記束が前記フード内に配置されているときに、前記フードの開口を前記束の周囲で縮めて前記グローブをそのまま保持することを特徴とするタオル。
【請求項４】
請求項１乃至３のいずれか１項に記載のタオルが、耐熱材料を具えることを特徴とするタオル。
【請求項５】
請求項４に記載のタオルにおいて、前記耐熱材料が前記フードの一表面に配置されていることを特徴とするタオル。
【請求項６】
請求項４又は５に記載のタオルにおいて、前記耐熱材料が、使用に際してユーザの手に隣接する前記形成したグローブの外側表面を形成することを特徴とするタオル。
【請求項７】
請求項１乃至６のいずれか１項に記載のタオルにおいて、前記開口を選択的に広げる及び／又は縮める手段が、前記フード開口の周辺部に配置されたチャネル周囲に通したコードを具えることを特徴とするタオル。
【請求項８】
請求項１乃至７のいずれか１項に記載のタオルにおいて、前記フードが前記シートの第１の側から外側に向けて離れて延在する凹特性を具えることを特徴とするタオル。
【請求項９】
請求項１乃至８のいずれか１項に記載のタオルにおいて、前記フードの第２の側に配置したポケットを具えることを特徴とするタオル。
【請求項１０】
請求項９に記載のタオルにおいて、前記ポケットの中に配置した指／親指保持部を具えることを特徴とするタオル。
【請求項１１】
請求項９又は１０に記載のタオルにおいて、前記ポケットが二次的に取り外し可能なシールを具えることを特徴とするタオル。
【請求項１２】
請求項１１に記載のタオルにおいて、前記二次的に取り外し可能なシールがベルクロタイプの締結手段を具えることを特徴とするタオル。
【請求項１３】
請求項１乃至１２のいずれか１項に記載のタオルにおいて、前記フードを前記シートに取り外し可能に取り付けることができることを特徴とするタオル。
【請求項１４】
請求項１３に記載のタオルにおいて、前記フードを前記シートにベルクロを用いて取り外し可能に取り付けることができることを特徴とするタオル。
【請求項１５】
請求項１乃至１４のいずれか１項に記載のタオルにおいて、前記シートの第１の側に物体を置いて前記容器の周りを前記シートで包むことによって、比較的コンパクトな束を形成し、その後、前記フードをこのコンパクトな束にかぶせて締めることで、前記物体を収納するぴったり合ったエンクロージャを形成できることを特徴とするタオル。
【請求項１６】
請求項１乃至１４のいずれか１項に記載のタオルにおいて、物体を前記フードの開口内において、前記物体の周囲で前記フードを閉じることによって、物体を収納するぴったり合ったエンクロージャを形成できること特徴とするタオル。
【請求項１６】
請求項１５又は１６に記載のタオルにおいて、物体にぴったり合うエンクロージャを形成するように構成されている場合、前記吸水性材料が前記エンクロージャの内側に配置されることを特徴とするタオル。
【請求項１７】
請求項１６に記載のタオルにおいて、物体を収納するぴったり合ったエンクロージャを形成するようにした場合、前記フードポケットを当該エンクロージャの外側表面の上に配置して、ユーザがアクセスできるようにしたことを特徴とするタオル。
【請求項１８】
請求項１７に記載のタオルにおいて、前記ポケットがカトラリィを収納するように構成されていることを特徴とするタオル。
【請求項１９】
請求項１乃至１８のいずれか１項に記載のタオルにおいて、前記吸水層が：
コットン；
約９２％のビスコースと８％のポリプロピレン；
約８５％のポリエステルと１５％のナイロン；
のうちの少なくとも一つを具えることを特徴とするタオル。
【請求項２０】
請求項１乃至１９のいずれか１項に記載のタオルが、前記シートと前記フードを：
ぴったり合ったエンクロージャ；
グローブ；
のうちの少なくとも一つを維持するように取り外し可能に互いに保持する締結手段を具えることを特徴とするタオル。
【請求項２１】
請求項２０に記載のタオルにおいて、前記締結手段が：
ベルクロ；
スナップ；
クリップ；
のうちの少なくとも一つを具えることを特徴とするタオル。
【請求項２２】
請求項１乃至２１のいずれか１項に記載のタオルにおいて、前記シートが：
正方形の構成；
長方形の構成；
のうちの少なくとも一つを具えることを特徴とするタオル。
【請求項２３】
吸水性材料を具える第１のポーチと；
前記第１のポーチのエッジに取り付けられ、このエッジから離れて外側へ延在する第２のポーチと；
を具え、前記第１のポーチと第２のポーチとが互いに対して、少なくともタオルを提供する第１の構成とグローブを提供する第２の構成を形成するように構成されていることを特徴とするタオル。
【請求項２４】
請求項２３に記載のタオルにおいて、前記第１及び／又は第２のポーチが：
（ｉ）長方形の構成；
（ｉｉ）円形の構成；
のうちの少なくとも一つを具えることを特徴とするタオル。
【請求項２５】
請求項２３又は２４に記載のタオルにおいて、前記第１のポーチがコットン材料を具えることを特徴とするタオル。
【請求項２６】
請求項２３乃至２５のいずれか１項に記載のタオルにおいて、前記第１のポーチが前記第２のポーチに取り外し可能に取り付けることができることを特徴とするタオル。
【請求項２７】
請求項２３乃至２６のいずれか１項に記載のタオルにおいて、前記第２のポーチがコットン材料を具えることを特徴とするタオル。
【請求項２８】
請求項２３乃至２７のいずれか１項に記載のタオルにおいて、前記第２のポーチがパッド付表面を具えることを特徴とするタオル。
【請求項２９】
請求項２８に記載のタオルにおいて、前記パッド付表面が耐熱性であることを特徴とするタオル。
【請求項３０】
請求項２３乃至２９のいずれか１項に記載のタオルにおいて、前記第１のポーチが前記第２のポーチより比較的大きいことを特徴とするタオル。
【請求項３１】
請求項２３乃至３０のいずれか１項に記載のタオルにおいて、前記第１及び第２のポーチがそれぞれ第１及び第２の開口を具えており、前記第１のポーチが、前記第１の開口が前記第２の開口の近傍であって反対側に配置されるように前記第１のポーチに取り付けられていることを特徴とするタオル。
【請求項３２】
請求項２３乃至３１のいずれか１項に記載のタオルが、前記第２の開口を取り出し可能に閉じる手段を具えることを特徴とするタオル。
【請求項３３】
請求項３２に記載のタオルにおいて、前記第２の開口を取り出し可能に閉じる手段が：
前記第２のポーチの開口の周辺部に設けたチャネルの周囲に通した調整可能なコード；
ベルクロ；
のうちの少なくとも一つを具えることを特徴とするタオル。
【請求項３４】
請求項２３乃至３３のいずれか１項に記載のタオルにおいて、グローブ形状にした場合に、前記第１のポーチを互いにコンパクトに折り畳んで前記第２のポーチに詰めることを特徴とするタオル。
【請求項３５】
取り出し可能に閉じることができる開口と；
第１の収納コンパートメントと；
前記第１の収納コンパートメントからバリヤによって分離されている第２の収納コンパートメントと；
を具えることを特徴とするフレキシブル容器。
【請求項３６】
請求項３５に記載のフレキシブル容器が、前記コンテナの内側面に配置した吸水性材料を具えることを特徴とするフレキシブル容器。
【請求項３７】
請求項３５又は３６に記載のフレキシブル容器が、耐熱材料を具えることを特徴とするフレキシブル容器。
【請求項３８】
請求項３５乃至３７のいずれか１項に記載のフレキシブル容器において、前記第１のコンパートメントがユーザの手を受けるように構成されていることを特徴とするフレキシブル容器。
【請求項３９】
請求項３８に記載のフレキシブル容器において、前記第１のコンパートメントが、容器を内側にひっくり返したときにユーザの手を受けるように構成されていることを特徴とするフレキシブル容器。
【請求項４０】
請求項３５乃至３９のいずれか１項に記載のフレキシブル容器において、少なくとも一つの指及び／又は親指保持部が前記第１のコンパートメント内側表面に配置されていることを特徴とするフレキシブル容器。
【請求項４１】
請求項３５乃至４０のいずれか１項に記載のフレキシブル容器において、前記取り出し可能に閉じることができる開口が、前記容器の開口の周辺部の回りに配置されたチャネルの周囲に通した調整可能なコードを具えることを特徴とするフレキシブル容器。
【請求項４２】
請求項３５乃至４１のいずれか１項に記載のフレキシブル容器において、前記取り出し可能に閉じることができる開口がベルクロを具えることを特徴とするフレキシブル容器。
【請求項４３】
周辺部を具えるシートと；
前記シート内に物体を収納できるように前記周辺部を互いに引っ張る手段と；
前記シートの第１の表面に取り外し可能に取り付けることができるグローブと；
を具えることを特徴とするタオル。
【請求項４４】
請求項４３に記載のタオルにおいて、前記シートが実質的に円形か、角が丸い形状を具えることを特徴とするタオル。
【請求項４５】
請求項４３又は４４に記載のタオルにおいて、前記周辺部を互いに引っ張る手段が、前記周辺部に配置されたチャネルの回りに通したコードを具えることを特徴とするタオル。
【請求項４６】
請求項４３又は４４に記載のタオルにおいて、前記周辺部にスペースを空けたインターバルで切り欠き部が設けられていることを特徴とするタオル。
【請求項４７】
請求項４３乃至４６のいずれか１項に記載のタオルにおいて、前記グローブが耐熱材料を具えることを特徴とするタオル。
【請求項４８】
請求項４３乃至４７のいずれか１項に記載のタオルにおいて、前記グローブを前記シートの第１の表面に対してベルクロを用いて取り外し可能に取り付けることができることを特徴とするタオル。
【請求項４９】
フレキシブルスリーブであって、当該スリーブの対向する端部に取り外し可能に閉じることができる第１及び第２の開口を有するフレキシブルスリーブと；
前記スリーブの第１の表面に取り外し可能に取り付けることができるグローブと；
を具えることを特徴とするタオル。
【請求項５０】
請求項４９に記載のタオルにおいて、前記グローブが前記スリーブの内側表面に取り外し可能に取り付けることができることを特徴とするタオル。
【請求項５１】
請求項４９又は５０に記載のタオルにおいて、前記グローブがベルクロを用いて前記スリーブに取り外し可能に取り付けることができることを特徴とするタオル。
【請求項５２】
請求項４９乃至５１のいずれか１項に記載のタオルにおいて、前記グローブが耐熱材料を具えることを特徴とするタオル。
【請求項５３】
請求項４９乃至５２のいずれか１項に記載のタオルにおいて、前記第１及び第２の開口を取り出し可能に閉じる手段が、前記第１及び第２の開口の周辺部に配置したチャネルの周囲に通した調整可能なコードを具えることを特徴とするタオル。
【請求項５４】
請求項４９乃至５３のいずれか１項に記載のタオルにおいて、前記コードの端部がハンドルを形成するように構成されていることを特徴とするタオル。
【請求項５５】
請求項１乃至５４のいずれか１項に記載のタオルが実質的な耐水性材料を具えることを特徴とするタオル。
【請求項５６】
請求項５５に記載のタオルにおいて、前記耐水性材料が着脱自在であることを特徴とするタオル。
【請求項５８】
請求項１乃至５６のいずれか１項に記載のタオルにおいて、前記コードがハンドルとして使用できるように構成されていることを特徴とするタオル。
【請求項５９】
請求項５８に記載のタオルにおいて、前記コードの自由端が前記タオルの表面に取り外し可能に固定することができ、持ち手を提供することを特徴とするタオル。
【請求項６０】
請求項５９に記載のタオルにおいて、前記コードの前記自由端が前記タオルの前記表面に：
スナップ；
ベルクロ；
ボタン；
クリップ；
のうちの少なくと一つを用いて取り外し可能に取り付けることができることを特徴とするタオル。
【請求項６１】
請求項１乃至６０のいずれか１項に記載のフレキシブル容器において、前記コードがハンドルとして使用するように構成されていることを特長とするフレキシブル容器。
【請求項６２】
請求項６１に記載のフレキシブル容器において、前記コードの自由端が前記フレキシブル容器の表面に取り外し可能に固定されて持ち手を提供することを特徴とするフレキシブル容器。
【請求項６３】
請求項６２に記載のフレキシブル容器において、前記コードの前記自由端が、前記フレキシブル容器の前記表面に：
スナップ；
ベルクロ；
ボタン；
クリップ；
のうちの少なくとも一つを用いて取り外し可能に取り付けることができることを特徴とするフレキシブル容器。
【請求項６４】
請求項１乃至６４のいずれか１項に記載のタオルにおいて、前記吸水性材料が：
コットン；
約９２％ビスコースと８％のポリプロピレン；
約８５％のポリエステルと１５％のナイロン；
のうちの少なくとも一つを具えることを特徴とするタオル。
【発明の詳細な説明】
【技術分野】
【０００１】
技術分野
本発明は、キャンピング、バックパッキングなどの分野に関する。
【０００２】
発明の背景
キャンピングは、世界中の多くの人々にとって人気の有る時間の過ごし方であり、全体的な心地よさとキャンプの経験の楽しみを強化するように設計されたキャンピング用品とアクセサリの実質的商業的市場は成長してきている。現在の市場にキャンピング製品とアクセサリのセットはあるが、キャンパが直面する数々の共通の問題に取り組む方法を認識する必要がある。
【０００３】
第１に、キャンプ滞在を設定する場合に、キャンパは一様に、とりわけクロスと枕を含む有益なアクセサリを選んで携帯しようとする。残念なことに、キャンパはキャンパのバックパックに入るスペースが制限されているため、これらの品物や、その他の品物を置いてゆかざるを得ない。もう一つの問題は、より多くのアクセサリを必要とするため、多数の様々なキャンピングアクセサリの購入コストが非常に高くなっていることである。
【０００４】
キャンパが直面しているもう一つの問題は、キャンプファイヤ、調理ストーブ、ホットプレート、バーベキュなどから、やけどせずに調理ポットを下ろすのが通常困難であることである。この問題への典型的な取り組みは、熱いポットを火から下ろす前に布を使ってキャンパの手をそのまま包んでポットをつかむことである。残念なことに、このような布は、通常好適な熱よけをしていないため、この課題を実行するには適しておらず、また、滑らないようにするために人の手にぴったり合うように適合されていない。この結果、このように人の手に一連の怪我が生じうる。
【０００５】
もう一つ生じる問題は、食事用品やその他の小さなアイテムが、キャンピング中に容易におき場所を間違える傾向にあることである。この問題への一つの取り組みは、より小さいアイテムをより大きなアイテムのそばに収納することによって、置き間違を少なくするという考えにより、食事用品を使用していない間は、調理ポット、容器などのすぐそばに収納することであった。しかしながら、特に、食事用品とポットが両方とも金属でできている場合は、ポットのそばに収納されている食事用品とポットが接触することによって、ポットに引っかき傷が付いたり、あるいは壊れてしまいやすい。
【０００６】
キャンプサイトで調理ポットを洗った後は、他のアイテムをぬらすことなくポットをバックパックの中にしまう前に、このポットをティタオルを用いて手で乾かすか、太陽の下で自然に乾燥させる必要がある。このポットを乾かすためにかかる追加の時間は、特に、キャンパが急いでいる場合や、ポットをすぐにしまいたい場合には、望しくなく、不便である。
【０００７】
発明の概要
本発明は、従来技術に関する上述した問題の少なくとも一つを緩和するためになされたものである。
【０００８】
本発明は、いくつかの様々な広い形態を含んでいる。本発明の実施例は、ここに述べる様々な広い形態の一つまたはその組み合わせを含む。
【０００９】
第１の広い形態において、本発明は：
吸水性材料を具えるシートと；
前記シートのエッジから外側に延在するフードと；
を具えるタオルであって、
前記シートを前記フードに対してコンパクトに折りたたんで、グローブを形成することができるタオルを提供する。
【００１０】
好ましくは、本発明は耐熱材料を具える。更に好ましくは、この耐熱材料は、前記フードの表面に配置されている。また、好ましくは、前記シートを前記フートに対してコンパクトに配置してグローブを形成する時に、前記耐熱材料が前記グローブの外表面を形成し、グローブを使用するときにユーザの手をやけどから保護する。
【００１１】
好ましくは、開口部のサイズを選択的に広げる及び／又は縮める手段が、フード開口部の周辺に設けたチャネルの周囲に通したコードを具える。好ましくは、前記コードの端部を引っ張ることによって、前記開口を縮めることができる。逆に、前記チャネルを通した前記コードの長さを選択的に調整することによって、必要に応じて前記開口を広げる及び／又は縮めることができる。有利なことに、前記コ−ドを調整可能とすることによって、前記グローブを様々な大きさの手にぴったり適合させることができる。コードの端部を互いに係止するトグルを用いて、コード端部を好適に調整して、フードの開口を広げた構成、あるいは縮めた構成のいずれかに維持することができる。また、コードは、ユーザがグローブを装着しているときに締めることができるので、グローブがユーザの手の上の正しい位置により確実に保持される。
【００１２】
好ましくは、前記フードの第１の側は、前記シートの第１の側から離れて外側へ延在する凹特性を有する。また、好ましくは、前記フードの第２の側はポケットを具える。有利なことに、このポケットは小さなアイテムを収納するための収納コンパートメントを具える。典型的には、少なくとも一の指／親指保持部がこのポケット内に配置されており、グローブ内でユーザの手に付加的なグリップを提供する。
【００１３】
好ましくは、前記コードを調整することによって、前記ポケットの開口を縮めて、このポケット内に収納されているものが落ちないようにすることができる。典型的には、前記ポケットの開口が、例えば、ベルクロ（登録商標）タイプの締結手段など、二次的な取り外し可能なシールも具えている。都合のよいことに、二次的な取り外し可能なシールを具えることで、前記ポケット内に収納されているものが更に落ちないようにすることができる。有利なことに、この二次的な取り外し可能なシールによって、本発明が広げた態様に構成されており、コードを縮めていないような場合でも、ポケットを閉じることが可能である。
【００１４】
典型的には、前記グローブは前記シートを束に折りたたんで、この束を前記フードの開口を介してフードの中に詰めることによって形成される。より好ましくは、前記束が前記フード内に置くときに、前記フードの開口を前記束の周囲で縮めて、これによって、前記束の周囲の開口の収縮が前記グローブをそのまま保持する助力となり、グローブがほぐれることを防止する。グローブを装着するときは、ユーザの手を前記フードポケットの中に挿入して、このポケットの中でユーザの手のひらがフードポケットのパッド表面に隣接する。
【００１５】
典型的には、前記フードは前記シードに縫い付けられている。代替的に、前記シードと前記フードを取り外し可能に取り付けるようにしても良い。後者の場合は、フードは、ベルクロ（登録商標）タイプのストリップを用いて、シートのエッジに取り付けることができる。有利なことに、シートとフードを取り外し可能に取り付けることによって、フードの使用が余計である場合に、ユーザは選択的にシートからフードを取り外すことができて便利である。例えば、これは、本発明をタオルとして使用する場合である。逆に、本発明がぴったり合ったエンクロージャ、またはグローブとして構成するよう意図されている場合は、フードを再びシートに取り付けることが便利である。フードとシートには、その上に範囲の異なるテーマ証印を設けることができる。このようにして、モジュラ化したフードとシートを購入する消費者は、彼／彼女の個人的な好みと関心に応じて、これらを「組み合わせる」ことができる。
【００１６】
好ましくは、本発明は更に、容器を収納するぴったり合ったエンクロージャを形成するように構成することができる。典型的には、このエンクロージャは、前記シートの第１の側に容器を配置することで容器の周囲にぴったり合致し、次いで容器の周囲をシートで包むことによって比較的コンパクトな束を形成する。次いでエンクロージャを容器の周囲に合致させて、フードを束の上に引っ張って、フードの開口を縮め、束をそのまま保持するぴったり合致したキャップとして便利に使用することができる。フードの開口のサイズを調整することによって、フードは適合的におよびちょうど良く、ある範囲の大きさの容器を収納することができる。
【００１７】
好ましくは、本発明が容器にぴったり合ったエンクロージャを形成するように構成されている場合は、エンクロージャの内側に吸水性材料を配置して、ぴったり合ったエンクロージャ内に配置した濡れている容器に密接させ、これによって乾かすことができる。有利なことに、このことによって、濡れている容器を、収納前に時間を費やして容器を手で乾かすのではなく、濡れた状態で収納することが可能である。
【００１８】
本発明は、容器のエンクロージャとして構成する場合、フードを容器の周囲にぴったりフィットさせて、容器がエンクロージャ内に確実に保持され、エンクロージャがばらけることがない。
【００１９】
ある実施例では、シートを必要とすることなくフード単独で容器の周囲にぴったり合ったエンクロージャを形成するように構成することができることは、当業者には自明である。この場合で、容器は、単に、フード開口を介してフード内に置いて、コードを強く引っ張って、フードで容器をしっかり封入するようにする。有利なことに、シートを取り外し可能にフードに取り付けることができる場合は、フード内に容器を収納することができる一方、取り外したシートをその他のものを乾燥させるタオルとして同時に使用することができる。
【００２０】
有利なことに、本発明が容器を収納するぴったり合ったエンクロージャを形成するように構成されている場合は、ユーザがアクセスできるようにフードポケットをエンクロージャの外側を向いた面に配置する。都合のよいことに、エンクロージャの外側表面にポケットを配置することは、とりわけ食事用品収納用の、別の近位側コンパートメントを提供する。この別の、近位側コンパートメントは、通常、食事用品が容器と同じコンパートメント内に一緒に収納されている従来の状態にある場合に生じていた、容器が傷つくということを防ぐ。
【００２１】
好ましくは、本発明はさらに枕ケースを形成するように構成することができる。典型的には、枕は、シートをコンパクトに畳んで束にして、折りたたんだ束をフードの中に詰めることによって形成される。典型的には、前記ポケット及び／又はフードには、更に、使用に際して更なるクッション性を提供するために柔軟材料を詰めてもよい。この材料には、例えばＴシャツや、柔らかな草などが含まれる。
【００２２】
好ましくは、本発明は更に帽子を形成するように構成することもできる。有利なことに、フードは人の頭の上に置くように構成されたキャップピースを形成することができ、一方、シートは、人の首回り及び／又は後ろを覆って、太陽の有害な影響から都合よく人を保護する。
【００２３】
好ましくは、前記吸水層はコットンを具える。代替の実施例では、その他の多くの好適な吸水性材料も使用できることは当業者には自明である。
【００２４】
好ましくは、前記耐熱層は、前記シートを形成するのに使用されるものより、比較的厚いコットン材料層を具える。典型的には、このコットンの層は、互いに重ね合わせて比較的厚いコットン材料層にした複数のコットンシートを具えていても良い。典型的には、多層のコットン材料を互いに縫い合わせたものである。
【００２５】
好ましくは、本発明は本発明の様々な構成を正しい位置に取り外し可能に保持するのを助ける締結手段を具えている。典型的には、この締結手段は、ベルクロ（登録商標）ストリップを具えており、このストリップは、前記シート及び／又はフード表面上の位置に戦略的に配置されている。代替的に、この締結手段は、ボタン、クリップ、あるいはこれらの好適な組み合わせであっても良い。一の実施例では、ベルクロ（登録商標）ストリップをシートのエッジに配置して、本発明によって容器を収納する場合に、容器の周囲にちょうど良く固定された状態でシートを保持する補助とする。
【００２６】
好ましくは、本発明は、金属材料を含まないようにして、熱伝導能力を緩和するようにする。
【００２７】
代替の実施例では、本発明の形状及び／又は寸法を、様々な容器の形状及びサイズを収納するために変更することができることは、当業者には自明である。例えば、このフードは、正方形、または長方形の形状をしていても良く、あるいは代替的に、収納する容器の表面特性にちょうど合うように、曲線あるいは角が丸い形状をしていても良い。
【００２８】
典型的には、前記グローブは、前記シートを折りたたんで束にして、この束をフードの開口を介してフードに詰めることによって形成される。より好ましくは、前記束をフード内に配置するときに、フードの開口を束の周囲で縮めて、これによって、前記束の周囲の開口の収縮がグローブをそのまま保持し、グローブがほどけないようにする。グローブを装着する場合には、ユーザの手をフードのポケット内に挿入して、ユーザの手のひらが第２のポーチのパッド付表面に隣接するようにする。
【００２９】
第２の広い形態において、本発明は：
吸水性材料を具える第１のポーチと；
前記第１のポーチのエッジに取り付けられこのエッジから外側へ向けて延在する第２のポーチと；を具え、
前記第１のポーチと前記第２のポーチを互いに配置して、タオルを提供する少なくとも第１の構成と、グローブを提供する第２の構成とを形成する。
【００３０】
典型的には、第１のポーチは長方形の形状を具える。このポーチの構成は、代替的に円形であってもよく、あるいは、第１のポーチの中に収納することを意図した容器またはその他の物体の表面形状にちょうど合うように構成された他の形状でもよい。また、第１のポーチがコットン材料を具えることが好ましい。
【００３１】
好ましくは、第２のポーチは長方形の形状を具えている。典型的には、第２のポーチはコットン材料を具える。また、第２のポーチは、本発明をグローブとして構成するときに一般的に熱保護バリアとして働くパッドの付いた表面を具えることが好ましい。
【００３２】
好ましくは、第１のポーチは第２のポーチより比較的大きい。
【００３３】
好ましくは、第１及び第２のポーチは、それぞれ、第１及び第２の開口を具えている。また、第１のポーチは第１の開口が第２の開口の反対側でこれに近接して配置されるように第１のポーチに取り付けることができることが好ましい。
【００３４】
好ましくは、本発明は、第２の開口を選択的に広げる及び／又は縮める手段を具えている。好ましくは、本発明は、第２のポーチの開口の周囲に配置したチャネル周辺に通したコードを具える。
【００３５】
好ましくは、前記コードの端部を引っ張ることによって、前記開口を縮めることができる。逆に、前記チャネルを通した前記コードの長さを選択的に調整することによって、必要に応じて前記開口を広げる及び／又は縮めることができる。トグルを用いてコードの端部を互いに止めて、ポーチ開口を広げた構成で、あるいは縮めた構成のいずれかで保持されるようにコード端部を好適に調整することができる。有利なことに、この調整可能なコードによって、第２のポーチを取り出し可能に閉じることができる。また、好ましくは、第２の開口は、一対のベルクロ（登録商標）ストリップなどの二次的な取り外し可能なシールを具えており、これによってコードが締められていないときでも第２のポーチの開口を取り出し可能に閉じることができる。
【００３６】
好ましくは、本発明をグローブ形状の構成にする場合は、第１のポーチをコンパクトにたたんで、第２のポーチの中に詰めることができる。ユーザはこのグローブを、ユーザの手のひらが第２のポーチのパッド付表面に隣接させて装着することができる。このグローブは、第２のポーチの周囲を通って延びているコード長を調整することによってユーザの手の周囲を締めることができる。
【００３７】
ある実施例では、第１のポーチは、ベルクロ（登録商標）タイプのストリップ、プレスボタンなどを含む好適な連結手段を用いて、第２のポーチに取り出し可能に取り付けることができる。
【００３８】
第３の広い形態では、本発明は、調理用ポットを取り出し可能に収納するのに使用するフレキシブル容器を提供するものであり、これは：
取り出し可能に閉じることができる開口と；
第１の収納コンパートメントと；
前記第１の収納コンパートメントからバリヤによって隔てられている第２の収納コンパートメントと；
を具える。
【００３９】
有利なことに、本発明は、ポットを用品から離して、隔てられているが近接するコンパートメントに入れて傷が付かないようにするのに有益である。
【００４０】
好ましくは、本発明は、吸水性材料を具える。典型的には、この吸水性材料は、コットンを具えていても良い。より好ましくは、後吸水性材料を前記容器の内部表面上に配置するようにしても良い。有利なことに、この吸水性材料を容器の内側表面に配置することによって、調理ポットなどの対象物を、濡れている場合は、収納している間に都合よく乾かすことができる。
【００４１】
好ましくは、本発明は耐熱材料を具えている。より好ましくは、本発明は、前記容器の外側表面に耐熱材料を配置することができる。典型的には、この耐熱材料は、互いに重ね合わせた複数のコットン層を具える。
【００４２】
好ましくは、本発明は、第１のコンパートメントの周囲を内側にひっくり返して、反転した第１のコンパートメントの中に手を入れてグローブとして着用することができる。有利なことに、本発明を内側にひっくり返すことによって、グローブをユーザの手によりぴったりフィットさせることができる。
【００４３】
好ましくは、指／親指保持部を第１の室の内側表面に配置して、ユーザが本発明をグローブとして使用するときにより強く握れるようにする。
【００４４】
好ましくは、前記取り出し可能に閉じることができる開口は、前記容器の開口周囲に配置したチャネルの周囲を通したコードを具えている。好ましくは、前記チャネルから突出しているこのコードの端部を調整して引っ張るあるいは取り出すことによって、ユーザは前記開口を選択的に縮めるあるいは開放することができる。本発明は、トグルを用いてコードの端部を互いに止めて、コード端部を好適に調整したときに、開口を開放した構成で、あるいは閉じた構成で維持することができる。有利なことに、ユーザがグローブを装着しているときにコードを締めることができるので、グローブがユーザの手の上の正しい位置により確実に保持される。
【００４５】
好ましくは、ベルクロ（登録商標）タイプのストリップを取り外し可能に閉じることができる開口に実質的に配置することができ、これによって、前記コードで開口を締めいないときでも、前記開口を都合よく閉じることができる。
【００４６】
好ましくは、本発明は枕ケースとして使用するように構成することもできる。この場合、前記容器にパッド材料を詰めて、都合よく枕を形成する。この詰め物は、取り出し可能に閉じることができる開口を介して枕ケース内に保持することができる。
【００４７】
第４の広い形態では、本発明は：
シートと；
このシートの周辺部を互いに内側に引っ張って、物体を前記シート内に取り出し可能に収納する手段と；
前記シートの第１の表面に取り外し可能に取り付けることができるグローブと；
を具えるタオルを提供する。
【００４８】
好ましくは、前記シートは実質的に円形、あるいは角が丸まった形状を具える。
【００４９】
典型的には、このシートの周辺部を互いに内側に引っ張る手段は、前記シートの周辺に配置されたチャネル周囲を通したコードを具える。好ましくは、チャネルから突出しているこのコードの端部を締めるあるいは開放することによって、ユーザが前記シートの周辺部を選択的に縮めたり、あるいは緩めたりすることができる。本発明は、コードの端部を互いに止めるトグルを用いて、コード端部が好適に調整され、前記シート周辺を必要に応じて互いに引っ張り続けることが可能である。
【００５０】
典型的には、前記シートの周辺部に設けたチャネルは、スペースを空けて切り欠き部分を具えていても良い。有利なことに、この構成によって、より容易に前記シートの周辺部を互いに引っぱる及び／又は前記シートの端部を開放することができ、前記シートをフラットな位置に広げることができる。
【００５１】
典型的には、前記グローブは耐熱材料を具える。
【００５２】
典型的には、前記グローブは、ベルクロ（登録商標）タイプの連結手段を用いて前記シートの第１の表面に取り外し可能に取り付けることができる。例えば、第１のベルクロストリップをグローブに取り付けて、対応するベルクロストリップをシートの第１の表面に配置する。このグローブは、前記グローブの上のベルクロストリップと取り外し可能に係合するベルクロストラップを更に具えており、様々なサイズの手によりぴったりフィットするようにグローブを調整可能に締められるようにしても良い。
【００５３】
好ましくは、グローブの開口は、取り出し可能に閉じることができ、グローブがとりわけ食事用品の収納コンパートメントとしての二次機能を都合よく果たすようにする。このグローブの開口は、例えばベルクロ、スナップなどを使用して閉じることができる。従って、キャンパは、スリーブに取り付ける一方で、グローブ内に同時に用品を確実に収納することができると認識され、同時に、閉じたスリーブにポットを収納して、食事用品とポットを搬送中及び／又は収納中に近接して維持するようにする。
【００５４】
第５の広い形態において、本発明は：
スリーブの対向する端部に取り出し可能に閉じることができる第１及び第２の開口を有するフレキシブルスリーブと；
前記スリーブの第１の表面に取り外し可能に取りつけることができるグローブと；
を具える容器の収納装置を提供する。
【００５５】
好ましくは、前記グローブは、前記スリーブの内側表面に取り外し可能に取り付けることができる。又、好ましくは、取り付け時には、前記グローブ全体が前記スリーブの中に収納される。典型的には、前記グローブは、ベルクロ（登録商標）タイプの連結手段を用いて前記スリーブに取り外し可能に取り付けることができる。例えば、第１のベルクロストリップを前記グローブに取り付けて、対応するベルクロストリップを前記スリーブの上に配置する。このグローブは、前記グローブの上のベルクロストリップと取り外し可能に係合するベルクロストラップを更に具えており、様々なサイズの手によりぴったりフィットするようにグローブを調整可能に締められるようにしても良い。
【００５６】
好ましくは、前記スリーブはコットンなどの吸水性材料を具えている。
【００５７】
好ましくは、前記グローブは、耐熱材料を具えている。
【００５８】
好ましくは、前記第１及び第２の開口を取り出し可能に閉じる手段は、前記第１及び第２の開口の周囲に配置したチャネル周囲に通したコードを具える。好ましくは、前記チャネルから突出しているこのコードの端部を調整して引っ張るあるいは開放することによって、ユーザは必要に応じて前記開口を選択的に閉じるあるいは開くことができる。本発明は、トグルを用いてコードの端部を互いに止めて、コード端部を好適に調整したときに、第１及び第２の開口を、開放した構成で、あるいは閉じた構成で維持することができる。
【００５９】
好ましくは、前記グローブの開口は、とりわけ、食事用品用の収納コンパートメントとしての二次機能を都合よく果たすように、取り出し可能に閉じることができる。グローブの開口は、例えばベルクロ、スナップなどを使用して閉じることができる。従って、キャンパは、スリーブに取り付ける一方で、グローブ内に同時に食事用品を確実に収納することができると認識され、同時に、閉じたスリーブにポットを収納して、食事用品とポットを搬送中及び／又は収納中に近接して維持するようにする。
【００６０】
好ましくは、前記第１の開口を閉じるのに使用しているコードの端部を、前記スリーブの第２の開口の周辺部で取り外し可能に締結することができる。これは、第１のコードの端部をスリーブボディの方へ伸ばして、これを第２の開口の周辺部に取り付けることを含む。同様に、第２のコードの端部を前記スリーブの第１の開口の周辺部に取り外し可能に締結することができる。第１及び第２のコードの端部は、クリップを用いて、スリーブの対向する開口周辺部に締結することができる。有利なことに、この態様で取り付ける場合、コードがスリーブのハンドルとなって、これが、スリーブ内に詰められたポットなどの物体を運ぶ際に都合よくユーザをアシストする。
【００６１】
本発明のある実施例では、吸水性材料は、約９２％のビスコースと、８％のポリプロピレンを具えていても良い。代替的に、その他の実施例では、吸水性材料が、約８５％のポリエステルと１５％のナイロンを具えていても良い。
【００６２】
本発明の異なる態様におけるベルクロ（登録商標）タイプの連結手段の使用を、スナップ、ボタン、あるいはクリップなどを含むその他の好適な連結手段で置き換えてもよいことは、当業者には自明である。
【００６３】
開口を取り出し可能に閉じるために開口の周辺部の周囲を通したコードは、上述した本発明の広い形態のいくつかあるいはすべてにおいて、本発明の表面にこのコードの端部を取り付けてハンドルとして機能するようにできることは、当業者には自明である。このコードの端部は、例えば、表面の突出部の端部を結ぶことによって表面に取り付けることができる。有利なことに、コードは二重の目的を果たすことができる。すなわち、本発明の開口を締める手段として、および本発明を実行するためのハンドルとしてである。
【００６４】
本発明のある実施例において、耐水性材料を含んでいても良いことは当業者には自明である。典型的には、この耐水性材料は、本発明の上に追加の層を配置した形をとることができる。この耐水層は、シート及び／又はフードに取り外し可能に取り付けることができる。
【００６５】
本発明が、キャンピングの分野を越えた分野へより広いアプリケーションを有することは当業者には自明である。例えば、本発明は、キッチンハンド、シェフ、ホームメーカ、工事従事者、その他によって好適に使用することもできる。
【００６６】
発明を実施するための最良の態様
図１乃至４は、本発明の第１の実施例を示す図であり、第１の表面（２）と第２の表面（３）を有するシート（１）と、開口（５）を有するフード（４）を具える。フード（４）も、開口（６）を具えており、この開口は、選択的に広げる及び／又は収縮することができる。フード（４）を広げる及び／又は縮める手段は、調整可能なコード（７）とトグル（１６）を具える。コード（７）は、フードの開口（６）の周辺部（９）の上に配置されたチャネル（８）を通っている。コード（７）の二つの端部は、チャネル（８）から突出しており、調整可能なトグル（１６）によって互いに締結されている。チャネル（８）内に配置されたコードの長さは、コード（７）の様々な箇所でトグル（１６）を選択的に締結することによって調整可能であり、これによって、フード（４）の開口（６）を縮めたり広げたりしている。
【００６７】
シート（１）は、吸水特性を有するコットン材料を具える。シート（１）は、また、長方形部分（１３）と、シート（１）の第１のエッジ（１２）から突出する延在部分（１１）を具える。長方形部分（１３）の寸法は約３００ｍｍ×６００ｍｍである。本発明の代替の実施例において、その他の好適な吸水性材料、合成材料あるいは非合成材料をコットンに代えて用いてもよいことは当業者には自明である。フード（４）は更に、スカート（４Ａ）と、パッド付部分（４Ｂ）を具える。パッド付部分（４Ｂ）は、互いに縫い合わせてキルト状形状を形成する多層コットンを具える。パッド付部分（４Ｂ）を形成しているキルト層のコットンの間にその他の耐熱性材料を挟んでも良いことは自明である。パッド付部分（４Ｂ）を延ばして、ユーザの手をやけどから保護するのに好適な耐熱バリヤを提供することは当業者には自明である。
【００６８】
フード（４）のパッド付部分（４Ｂ）は、シート（１）の延在部分（１１）と実質的に同じ寸法を有している。又、パッド付部分（４Ｂ）と延在部分（１１）は、実質的にベル型表面形状を有している。
【００６９】
フード（４）は、シート（１）の延在部分（１１）に、延在部分（１１）の上にパッド付部分（４Ｂ）を重ねることによって取り付けられており、パッド付部分（４Ｂ）の周辺部と延在部分（１１）とを互いに縫い合わせている。パッド付部分（４Ｂ）と延在部分（１１）のカーブした周辺部のみが互いに縫い合わされており、シート（１）の第２の表面（３）とフード（４）のパッド付部分（４Ｂ）の間にポケット（１５）を形成している。ポケット（１５）の開口は、コードを調整することによって、取り出し可能に閉じることができ、これによって、ポケット内に収納された物体が落ちないようになっている。更に、一対のベルクロ（登録商標）タイプのストリップ（１２）がポケットの開口の内側周辺部に、コードが締められていないときでもポケットの開口を取り出し可能に閉じる更なる手段として配置されている。
【００７０】
本発明の第１の実施例は、多目的アクセサリとしての使用に適している。例えば、これはタオル、容器を収納するためのぴったり合ったエンクロージャ、耐熱グローブ、枕ケース、及び／又は帽子にアレンジすることができる。これらの各使用を以下に更に詳細に説明する。
【００７１】
図１及び２は、ポット、用品その他など、濡れたアイテムを乾かすタオルとしての使用に好適な、広げたシートを示す。
【００７２】
容器を収納するためのぴったり合ったエンクロージャとしての使用に適合する場合は、シート（１）をまず、図１に示すように、シートの第１の側（２）を上に向けて広げた態様に置く。容器（１７）を、シート（１）の第１の側（２）の上に置いて、シート（１）の側部を容器（１７）の上に折りたたんで巻きつけて束にする。次いで、束の上にフード（４）を引っ張って、フード（４）のスカート（４Ａ）が束の側部周辺に下がるようにする。コード（７）に沿ってトグル（１６）をずらせて、チャネル（８）内のコード（７）の長さを短くし、フード（４）の開口（６）を縮めて束をそのまま保持する。このようにして、図４に示すようにぴったり合ったエンクロージャを容器の周囲に形成する。
【００７３】
図４に示すように、容器の周囲にぴったり合ったエンクロージャの形に構成する場合、ポケット（１５）は、収納されている容器に近接して、用品などのアイテムを収納する別のコンパートメントを提供する。
【００７４】
保護グローブとして使用する場合は、シート（１）を再び広げた態様で置いて、シート（１）の第１の表面（２）を上に向けて配置する。次いで、シート（１）をコンパクトに畳んで、フード（４）と略同じ寸法の層を形成する。次いで、この層を回して、フード（４）の延在部分（１１）の上へおく。次いで、コード（７）に沿ってトグル（１６）を調整可能に締めることによって、スカート（４Ａ）を折りたたんだ層の周囲にぴったり巻きつけ、グローブをそのまま保持する。このようにして、保護グローブを形成して、ユーザの手をポケット（１５）に挿入して装着する。また、装着時に、ユーザの手のひらがポケット（１５）内でフード（４）のパッド付部分（４Ｂ）に隣接し、ユーザの親指をポケット（１５）の中に配置された親指保持部内に受けることができ、ポケット（１５）内でユーザが更に強く握れるようにする。
【００７５】
図５乃至７は、本発明の第２の実施例（１８）を示す図であり、第１及び第２の開口（２０、２１）と、第１及び第２の開口（２０、２１）の周辺部で、各開口（２０、２１）を閉じるための第１及び第２のチャネル（２４、２５）に配置された第１及び第２のコード（２２，２３）を有するスリーブ（１９）を具える。また、第２の実施例は、図６に示すように、スリーブの内側表面（２７）に取り外し可能に取り付けることができるグローブ（２６）を具える。このグローブは全体的にスリーブ（１９）内に包含されている。グローブ（２６）をスリーブ（１９）の内側表面（２７）に取り外し可能に取り付ける手段は、ベルクロタイプのストリップ（２８）を具える。このベルクロストリップ（２８）は、スリーブ（１９）の内側表面（２７）の上に設けられており、図５においては破線で示されている。
【００７６】
スリーブ（１９）は、第１又は第２の開口（２０、２１）のいずれかを介してスリーブ（１９）内へ容器を挿入することによって、容器を収納するのに都合よく使用することができ、コード（２２、２３）を互いに強く引っ張って、第１及び第２の開口（２０、２１）をそれぞれ閉じる。このコードは、図に示すようにトグル（２９、３０）を具え、コード（２２、２３）をしっかり保持している。
【００７７】
図８及び９は、本発明の第３の実施例（３１）を示す図であり、円形のシート（３２）とシート周辺部（３３）を具える。この実施例は、また、周辺部（３３）に配置されたチャネル（３６）内に通したコード（３５）を具える。第３の実施例（３１）も、ベルクロを用いてシート（３２）に取り外し可能に取り付けることができるグローブ（３４）を具える。
【００７８】
図１０及び１１は、本発明の第４の実施例を示す図であり、調理用ポットを取り出し可能に収納するのに使用するフレキシブル容器（３７）を具える。第４の実施例は、取り出し可能に閉じることができる開口（３８）と、第１の収納コンパートメント（３９）と、この第１の収納コンパートメント（３９）からバリヤ（４１）で分離された第２の収納コンパートメント（４０）とを具える。
【００７９】
第４の実施例は、コットンシート層でできた耐熱表面（４２）を具える。
【００８０】
フレキシブル容器（３７）を第１のコンパートメント（３９）の周囲で内側にひっくり返すことによって、グローブとしてこの実施例を装着することができる。ユーザの手は、通常、反転させた第１のコンパートメントに挿入され、グローブとして装着する。
【００８１】
開口（３８）は、ここに記載したその他の実施例と同様に、開口（３８）の周囲に通したコード（４３）とトグル構成（４４）を用いて取り出し可能に閉じることができる。また、ベルクロ（登録商標）タイプのストリップが、開口の入口に配置されており、コードが開口（３８）を閉じるのに使用されていない場合でも、開口を取り出し可能に閉じることが可能である。
【００８２】
第４の実施例は、枕ケースとして使用するように構成することもでき、この場合、第１及び／又は第２の収納コンパートメント（３９、４０）に、柔軟なパッド材料を詰めて、都合よく枕を作ることができる。この詰め物は、取り出し可能に閉じることができる開口（３８）を介して枕ケース内に保持することができる。
【００８３】
第１の実施例の寸法をユーザの必要に応じて変えられることは当業者には自明である。例えば、フードの形状と寸法は、収納すべき容器のサイズによって変わる。この実施例では、フードは収納すべき容器の曲面特性にぴったり合致するように適合した曲面形状を具える。
【００８４】
ここに記載した発明が、本発明の範囲から離れることなく、特に記載したもの以外の変形および変更が可能であることは当業者には自明である。当業者には明らかであるこれらの変形及び変更はすべて、ここに広く記載されたような本発明の精神及び範囲に入ると考えるべきである。本発明は、これらの変形及び変更のすべてを含むものであると理解すべきである。本発明はまた、この明細書に引用されたあるいは記載された、個々のあるいは全体的な、全てのステップと特徴、およびこれらのステップまたは特徴の二つまたはそれ以上の組み合わせを全て含む。
【００８５】
この明細書中の従来技術の引用は、この従来技術が共通する一般的な知識の一部を形成するとの認識または何らかの形の提言ではなく、またそのように考えるべきではない。
【図面の簡単な説明】
【００８６】
本発明は、以下の限定するものではないが好ましい実施例の詳細な説明から、添付の図面を参照してより完全に理解されるであろう。
【図１】図１は、本発明の第１実施例を示す斜視図であり、本発明はタオルとして好適に使用するために広げた態様で置かれている。シートの第１の表面が上向きに示されている。
【図２】図２は、本発明の第１の実施例を示す斜視図であり、広げた態様で置かれている。シートの第２の表面が上向きに示されている。
【図３】図３は、ポケットの中に見える本発明の第１の実施例の側面を示す図である。
【図４】図４は、本発明の第１の実施例を示す図であり、容器の周囲にぴったり合ったエンクロージャを形成するように構成されている。
【図５】図５は、端部が開いたスリーブを具える本発明の第２の実施例を示す図である。第２の実施例は、中に容器を収納しておらず、広げた態様で示されている。
【図６】図６は、スリーブの内側面に取り外し可能に取り付けたグローブを表す第２の実施例を示す図である。
【図７】図７は、取り出し可能に閉じたスリーブ内に容器を含む第２の実施例を示す図である。
【図８】図８は、ほぼ丸い形状のシートと取り外し可能に取り付けることができるグローブを具える第３の実施例を示す図である。
【図９】図９は、取り出し可能に閉じた容器を中に具える第３の実施例を示す図である。
【図１０】図１０は、本発明の第４の実施例を広げた構成で示す斜視図である。
【図１１】図１１は、第４の実施例を畳んだ構成で示す斜視図である。
【図１】
2008502381.tif 000003
【図２】
2008502381.tif 000004
【図３】
2008502381.tif 000005
【図４】
2008502381.tif 000006
【図５】
2008502381.tif 000007
【図６】
2008502381.tif 000008
【図７】
2008502381.tif 000009
【図８】
2008502381.tif 000010
【図９】
2008502381.tif 000011
【図１０】
2008502381.tif 000012
【図１１】
2008502381.tif 000013
【手続補正書】
【提出日】平成18年3月27日(2006.3.27)
【手続補正１】
【補正対象書類名】特許請求の範囲
【補正対象項目名】全文
【補正方法】変更
【補正の内容】
【特許請求の範囲】
【請求項１】
吸水性材料を具えるシートと；
前記シートの第１の側から外側に延在する凹部を有するフードと、前記シートの第２の側に隣接するフードポケットと；
を具えるタオルにおいて、
前記タオルが少なくとも第１及び第２の構成をとるように構成されており、第１の構成をとる場合に、前記シートを前記フードの開口を介して前記フード内にコンパクトにおよび取り外し可能に詰めてグローブを形成し、当該グローブはユーザが前記フードポケットに手を入れることで装着可能であり、及び、前記第２の構成をとる場合に、前記シートが物体の周囲に巻いて比較的コンパクトな束を形成するように構成され、当該コンパクトな束を前記フード内に取り外し可能に詰めて、前記物体を収納するぴったり合ったエンクロージャを提供することを特徴とするタオル。
【請求項２】
請求項１に記載のタオルにおいて、前記グローブが前記シートを束にして折りたたんで、この束を前記フードの開口を介して前記フードの中に詰めることによって形成されることを特徴とするタオル。
【請求項３】
請求項２に記載のタオルにおいて、前記フードの開口が第１の取り外し可能なシールを具え、当該第１の取り外し可能なシールが、前記折りたたんだシートを前記フードに詰めるときに当該折りたたんだシートの周囲のフード開口を選択的に縮めて折りたたんだシートを取り出し可能に詰め、及び、前記フード開口を広げて前記折りたたんだシートを前記フードから取り出せるようにしたことを特徴とするタオル。
【請求項４】
請求項１乃至３のいずれか１項に記載のタオルにおいて、前記第１の取り出し可能なシールが、前記フード開口の周辺部に設けたチャネルの周囲に通したコードを具えることを特徴とするタオル。
【請求項５】
請求項１乃至４のいずれか１項に記載のタオルにおいて、前記フードが前記物体の周りで独立型のぴったり合ったエンクロージャを形成するように構成されていることを特徴とするタオル。
【請求項６】
請求項１乃至５のいずれか１項に記載のタオルが耐熱層を具え、前記タオルがグローブとして構成されている場合に、前記耐熱層がユーザの手を熱から保護するグローブの壁を形成することを特徴とするタオル。
【請求項７】
請求項６に記載のタオルにおいて、前記耐熱層が前記フードの一表面に配置されていることを特徴とするタオル。
【請求項８】
請求項１乃至７のいずれか１項に記載のタオルが、前記ポケットの中に配置した指／親指保持部を具えることを特徴とするタオル。
【請求項９】
請求項８に記載のタオルにおいて、前記指／親指保持部が調整可能であることを特徴とするタオル。
【請求項１０】
請求項９に記載のタオルにおいて、前記指／親指保持部が、当該指／親指保持部の周囲を選択的に締める及び／又は緩めることができるフックアンドループ型締結ストラップを用いて調整可能であることを特徴とするタオル。
【請求項１１】
請求項１乃至１０のいずれか１項に記載のタオルにおいて、前記ポケットが二次的に取り外し可能なシールを具えることを特徴とするタオル。
【請求項１２】
請求項１１に記載のタオルにおいて、前記二次的に取り外し可能なシールがフックアンドループ型締結手段を具えることを特徴とするタオル。
【請求項１３】
請求項１乃至１２のいずれか１項に記載のタオルにおいて、前記フードを前記シートに取り外し可能に取り付けることができることを特徴とするタオル。
【請求項１４】
請求項１乃至１３のいずれか１項に記載のタオルにおいて、前記フードをフックアンドループ型締結手段を用いて前記シートに取り外し可能に取り付けることができることを特徴とするタオル。
【請求項１５】
請求項１乃至１４のいずれか１項に記載のタオルにおいて、前記物体が調理ポットを具えることを特徴とするタオル。
【請求項１６】
請求項１乃至１５のいずれか１項に記載のタオルにおいて、ぴったり合うエンクロージャを形成するように構成されている場合、前記吸水層が前記エンクロージャの内側に配置されることを特徴とするタオル。
【請求項１７】
請求項１乃至１６のいずれか１項に記載のタオルにおいて、ぴったり合ったエンクロージャとして構成する場合に、前記フードポケットが前記ぴったり合ったエンクロージャの外側に設けられており、ユーザによってアクセス可能であることを特徴とするタオル。
【請求項１８】
請求項１乃至１７のいずれか１項に記載のタオルにおいて、前記フードポケットが一のカトラリィを保持するように構成した少なくとも一の保持手段を具えることを特徴とするタオル。
【請求項１９】
請求項１８に記載のタオルにおいて、前記保持手段がループ材を具えることを特徴とするタオル。
【請求項２０】
請求項１８又は１９に記載のタオルにおいて、前記保持手段が請求項８に記載の指／親指保持部を具えることを特徴とするタオル。
【請求項２１】
請求項１乃至２０のいずれか１項に記載のタオルにおいて、
前記ぴったり合ったエンクロージャ；  
前記グローブ；
の構成のうちの少なくとも一つをそのまま取り外し可能に固定する固定手段を具えることを特徴とするタオル。
【請求項２２】
請求項２１に記載のタオルにおいて、前記固定手段が：
フックアンドループ型ファスナ；
スナップファスナ；  
クリップ；
のうちの少なくとも一つを具えることを特徴とするタオル。
【請求項２３】
請求項１乃至２２のいずれか１項に記載のタオルにおいて、前記シートが：
正方形の構成；
長方形の構成；
のうちの少なくとも一つを具えることを特徴とするタオル。
【請求項２４】
請求項１乃至２３のいずれか１項に記載のタオルにおいて、前記吸水層が：
コットン；
約９２％のビスコースと８％のポリプロピレンを具える材料；
約８５％のポリエステルと１５％のナイロンを具える材料；
のうちの少なくとも一つを具えることを特徴とするタオル。
【請求項２５】
請求項１乃至２４のいずれか１項に記載のタオルが耐水層を具えることを特徴とするタオル。
【請求項２６】
請求項２５に記載のタオルにおいて、前記耐水層が前記フードの上に配置されていることを特徴とするタオル。
【請求項２７】
請求項２５又は２６に記載のタオルにおいて、前記耐水層が前記フードに対して取り外し可能に取り付けられていることを特徴とするタオル。
【請求項２８】
耐熱層と；
吸水層を具えるシートと；
前記シートの第１の側から外側に延在する凹部と、前記シートの第２の側に隣接するフードポケットとを有するフードと；
を具えるタオルにおいて、
前記シートが前記フードの開口を介して前記フードにコンパクトに及び取り外し可能に詰めてグローブを形成するように構成されており、前記グローブはユーザが前記フードポケットに手を入れることによって装着され、前記耐熱層がユーザの手を熱から保護するグローブの壁を形成することを特徴とするタオル。
【請求項２９】
請求項２８に記載のタオルにおいて、前記グローブが前記シートを束にして折りたたんで、この束を前記フードの開口を介して前記フードの中に詰めることによって形成されることを特徴とするタオル。
【請求項３０】
請求項２９に記載のタオルにおいて、前記フードの開口が第１の取り外し可能なシールを具え、前記第１の取り外し可能なシールが、前記折りたたんだシートを前記フードに詰めるときに当該折りたたんだシートの周囲のフード開口を選択的に縮めて折りたたんだシートを取り外し可能に詰め、及び、前記フード開口を広げて前記折りたたんだシートを前記フードから取り出せるようにしたことを特徴とするタオル。
【請求項３１】
請求項２８乃至３０のいずれか１項に記載のタオルにおいて、前記第１の取り外し可能なシールが、前記フード開口の周辺部に設けたチャネルの周囲を通したコードを具えることを特徴とするタオル。
【請求項３２】
請求項２８乃至３１のいずれか１項に記載のタオルにおいて、前記耐熱層が前記フードの一表面に配置されていることを特徴とするタオル。
【請求項３３】
請求項２８乃至３２のいずれか１項に記載のタオルが、前記ポケットの中に配置した指／親指保持部を具えることを特徴とするタオル。
【請求項３４】
請求項３３に記載のタオルにおいて、前記指／親指保持部が調整可能であることを特徴とするタオル。
【請求項３５】
請求項３４に記載のタオルにおいて、前記指／親指保持部が、当該指／親指保持部の周囲を選択的に締める及び／又は緩めることができるフックアンドループ型締結ストラップを用いて調整可能であることを特徴とするタオル。
【請求項３６】
請求項２８乃至３５のいずれか１項に記載のタオルにおいて、前記ポケットが二次的に取り外し可能なシールを具えることを特徴とするタオル。
【請求項３７】
請求項３６に記載のタオルにおいて、前記二次的に取り外し可能なシールがフックアンドループ型締結手段を具えることを特徴とするタオル。
【請求項３８】
請求項２８乃至３７のいずれか１項に記載のタオルにおいて、前記フードを前記シートに取り外し可能に取り付けることができることを特徴とするタオル。
【請求項３９】
請求項３８に記載のタオルにおいて、前記フードをフックアンドループ型締結手段を用いて前記シートに取り外し可能に取り付けることができることを特徴とするタオル。
【請求項４０】
請求項２８乃至３９のいずれか１項に記載のタオルにおいて、前記シートを物体の周りに巻いて比較的コンパクトな束を形成するように構成されており、前記フードが前記比較的コンパクトな束を取り外し可能に詰めるように構成されており、前記物体を詰めるぴったり合ったエンクロージャを提供することを特徴とするタオル。
【請求項４１】
請求項４０に記載のタオルにおいて、前記物体が調理ポットを具えることを特徴とするタオル。
【請求項４２】
請求項４０又は４１に記載のタオルにおいて、ぴったり合ったエンクロージャとして構成する場合に、吸水層を当該エンクロージャの内部に設けたことを特徴とするタオル。
【請求項４３】
請求項４０乃至４２のいずれか１項に記載のタオルにおいて、ぴったり合ったエンクロージャとして構成する場合に、前記フードポケットが前記ぴったり合ったエンクロージャの外側に設けられており、ユーザによってアクセス可能であることを特徴とするタオル。
【請求項４４】
請求項２８乃至４３のいずれか１項に記載のタオルにおいて、前記フードが前記物体の周りで独立型のぴったり合ったエンクロージャを形成するように構成されていることを特徴とするタオル。
【請求項４５】
請求項２８乃至４４のいずれか１項に記載のタオルにおいて、前記フードポケットが一のカトラリィを保持するように構成した少なくとも一の保持手段を具えることを特徴とするタオル。
【請求項４６】
請求項４５に記載のタオルにおいて、前記保持手段がループ材を具えることを特徴とするタオル。
【請求項４７】
請求項４５又は４６に記載のタオルにおいて、前記保持手段が請求項３３に記載の指／親指保持部を具えることを特徴とするタオル。
【請求項４８】
請求項２８乃至４７のいずれか１項に記載のタオルにおいて、
前記ぴったり合ったエンクロージャ；  
前記グローブ；
の構成のうちの少なくとも一つをそのまま取り外し可能に固定する固定手段を具えることを特徴とするタオル。
【請求項４９】
請求項４８に記載のタオルにおいて、前記固定手段が：
フックアンドループ型ファスナ；
スナップファスナ；  
クリップ；
のうちの少なくとも一つを具えることを特徴とするタオル。
【請求項５０】
請求項２８乃至４９のいずれか１項に記載のタオルにおいて、前記シートが：
正方形の構成；
長方形の構成；
のうちの少なくとも一つを具えることを特徴とするタオル。
【請求項５１】
請求項２８乃至５０のいずれか１項に記載のタオルにおいて、前記吸水層が：
コットン；
約９２％のビスコースと８％のポリプロピレンを具える材料；
約８５％のポリエステルと１５％のナイロンを具える材料；
のうちの少なくとも一つを具えることを特徴とするタオル。
【請求項５２】
請求項２８乃至５１のいずれか１項に記載のタオルが耐水層を具えることを特徴とするタオル。
【請求項５３】
請求項５２に記載のタオルにおいて、前記耐水層が前記フードの上に配置されていることを特徴とするタオル。
【請求項５４】
請求項５２又は５３に記載のタオルにおいて、前記耐水層が前記フードに対して取り外し可能に取り付けられていることを特徴とするタオル。
【請求項５５】
第１のポーチと第２のポーチ；を具えるタオルにおいて、
前記第１のポーチが第１の開口と吸水性材料を具え、前記第１のポーチが前記第２のポーチより比較的大きく；
前記第２のポーチが第２の開口を具え、前記第２のポーチが前記第１のポーチのエッジから外側へ離れて延在しており、前記第１の開口が前記第２の開口の近傍において、当該第２の開口の反対側に設けられており；
前記第１のポーチを前記第２のポーチの中にコンパクトかつ取り出し可能に詰めてグローブを形成し、当該グローブがユーザが前記第１のポーチに手を挿入することによって装着できることを特徴とするタオル。
【請求項５６】
請求項５５に記載のタオルにおいて、前記第１及び第２のポーチが：
長方形の構成；
正方形の構成；
円形の構成；
のうちの少なくとも一つを具えることを特徴とするタオル。
【請求項５７】
請求項５５又は５６に記載のタオルにおいて、前記第１のポーチが調理ポットを取り出し可能に収納するぴったり合ったエンクロージャを提供することを特徴とするタオル。
【請求項５８】
請求項５５乃至５７のいずれか１項に記載のタオルにおいて、前記第１および第２のポーチが、前記第１及び第２の開口をそれぞれ取り出し可能に閉じる手段を具えることを特徴とするタオル。
【請求項５９】
請求項５５乃至５８のいずれか１項に記載のタオルにおいて、前記第１及び／又は第２の開口を取り出し可能に閉じる手段が：
フックアンドループ型締結手段；
コードとトグル型手段；
のうちの少なくとも一つを具えることを特徴とするタオル。
【請求項６０】
請求項５５乃至５９のいずれか１項に記載のタオルにおいて、前記第１のポーチを前記第２のポーチに取り外し可能に取り付けることができることを特徴とするタオル。
【請求項６１】
請求項６０に記載のタオルにおいて、前記第１のポーチを前記第２のポーチに取り外し可能に取り付ける手段が：
フックアンドループ型ファスナ；
スナップファスナ；  
クリップ；
のうちの少なくとも一つを具えることを特徴とするタオル。
【手続補正書】
【提出日】平成18年6月14日(2006.6.14)
【手続補正１】
【補正対象書類名】特許請求の範囲
【補正対象項目名】全文
【補正方法】変更
【補正の内容】
【特許請求の範囲】
【請求項１】
吸水性材料を具えるシートと；
前記シートの第１の側から外側に延在する凹部を有するフードと、前記シートの第２の側に隣接するフードポケットと；
を具えるタオルにおいて、
前記タオルが少なくとも第１及び第２の構成をとるように構成されており、第１の構成をとる場合に、前記シートを前記フードの開口を介して前記フード内にコンパクトにおよび取り外し可能に詰めてグローブを形成し、当該グローブはユーザが前記フードポケットに手を入れることで装着可能であり、及び、前記第２の構成をとる場合に、前記シートが物体の周囲に巻いて比較的コンパクトな束を形成するように構成され、当該コンパクトな束を前記フード内に取り外し可能に詰めて、前記物体を収納するぴったり合ったエンクロージャを提供することを特徴とするタオル。
【請求項２】
請求項１に記載のタオルにおいて、前記グローブが前記シートを束にして折りたたんで、この束を前記フードの開口を介して前記フードの中に詰めることによって形成されることを特徴とするタオル。
【請求項３】
請求項２に記載のタオルにおいて、前記フードの開口が第１の取り外し可能なシールを具え、当該第１の取り外し可能なシールが、前記折りたたんだシートを前記フードに詰めるときに当該折りたたんだシートの周囲のフード開口を選択的に縮めて折りたたんだシートを取り出し可能に詰め、及び、前記フード開口を広げて前記折りたたんだシートを前記フードから取り出せるようにしたことを特徴とするタオル。
【請求項４】
請求項１乃至３のいずれか１項に記載のタオルにおいて、前記第１の取り出し可能なシールが、前記フード開口の周辺部に設けたチャネルの周囲に通したコードを具えることを特徴とするタオル。
【請求項５】
請求項１乃至４のいずれか１項に記載のタオルにおいて、前記フードが前記物体の周りで独立型のぴったり合ったエンクロージャを形成するように構成されていることを特徴とするタオル。
【請求項６】
請求項１乃至５のいずれか１項に記載のタオルが耐熱層を具え、前記タオルがグローブとして構成されている場合に、前記耐熱層がユーザの手を熱から保護するグローブの壁を形成することを特徴とするタオル。
【請求項７】
請求項６に記載のタオルにおいて、前記耐熱層が前記フードの一表面に配置されていることを特徴とするタオル。
【請求項８】
請求項１乃至７のいずれか１項に記載のタオルが、前記ポケットの中に配置した指／親指保持部を具えることを特徴とするタオル。
【請求項９】
請求項８に記載のタオルにおいて、前記指／親指保持部が調整可能であることを特徴とするタオル。
【請求項１０】
請求項９に記載のタオルにおいて、前記指／親指保持部が、当該指／親指保持部の周囲を選択的に締める及び／又は緩めることができるフックアンドループ型締結ストラップを用いて調整可能であることを特徴とするタオル。
【請求項１１】
請求項１乃至１０のいずれか１項に記載のタオルにおいて、前記ポケットが二次的に取り外し可能なシールを具えることを特徴とするタオル。
【請求項１２】
請求項１１に記載のタオルにおいて、前記二次的に取り外し可能なシールがフックアンドループ型締結手段を具えることを特徴とするタオル。
【請求項１３】
請求項１乃至１２のいずれか１項に記載のタオルにおいて、前記フードを前記シートに取り外し可能に取り付けることができることを特徴とするタオル。
【請求項１４】
請求項１乃至１３のいずれか１項に記載のタオルにおいて、前記フードをフックアンドループ型締結手段を用いて前記シートに取り外し可能に取り付けることができることを特徴とするタオル。
【請求項１５】
請求項１乃至１４のいずれか１項に記載のタオルにおいて、前記物体が調理ポットを具えることを特徴とするタオル。
【請求項１６】
請求項１乃至１５のいずれか１項に記載のタオルにおいて、ぴったり合うエンクロージャを形成するように構成されている場合、前記吸水層が前記エンクロージャの内側に配置されることを特徴とするタオル。
【請求項１７】
請求項１乃至１６のいずれか１項に記載のタオルにおいて、ぴったり合ったエンクロージャとして構成する場合に、前記フードポケットが前記ぴったり合ったエンクロージャの外側に設けられており、ユーザによってアクセス可能であることを特徴とするタオル。
【請求項１８】
請求項１乃至１７のいずれか１項に記載のタオルにおいて、前記フードポケットが一のカトラリィを保持するように構成した少なくとも一の保持手段を具えることを特徴とするタオル。
【請求項１９】
請求項１８に記載のタオルにおいて、前記保持手段がループ材を具えることを特徴とするタオル。
【請求項２０】
請求項１８又は１９に記載のタオルにおいて、前記保持手段が請求項８に記載の指／親指保持部を具えることを特徴とするタオル。
【請求項２１】
請求項１乃至２０のいずれか１項に記載のタオルにおいて、
前記ぴったり合ったエンクロージャ；  
前記グローブ；
の構成のうちの少なくとも一つをそのまま取り外し可能に固定する固定手段を具えることを特徴とするタオル。
【請求項２２】
請求項２１に記載のタオルにおいて、前記固定手段が：
フックアンドループ型ファスナ；
スナップファスナ；  
クリップ；
のうちの少なくとも一つを具えることを特徴とするタオル。
【請求項２３】
請求項１乃至２２のいずれか１項に記載のタオルにおいて、前記シートが：
正方形の構成；
長方形の構成；
のうちの少なくとも一つを具えることを特徴とするタオル。
【請求項２４】
請求項１乃至２３のいずれか１項に記載のタオルにおいて、前記吸水層が：
コットン；
約９２％のビスコースと８％のポリプロピレンを具える材料；
約８５％のポリエステルと１５％のナイロンを具える材料；
のうちの少なくとも一つを具えることを特徴とするタオル。
【請求項２５】
請求項１乃至２４のいずれか１項に記載のタオルが耐水層を具えることを特徴とするタオル。
【請求項２６】
請求項２５に記載のタオルにおいて、前記耐水層が前記フードの上に配置されていることを特徴とするタオル。
【請求項２７】
請求項２５又は２６に記載のタオルにおいて、前記耐水層が前記フードに対して取り外し可能に取り付けられていることを特徴とするタオル。
【請求項２８】
耐熱層と；
吸水層を具えるシートと；
前記シートの第１の側から外側に延在する凹部と、前記シートの第２の側に隣接するフードポケットとを有するフードと；
を具えるタオルにおいて、
前記シートが前記フードの開口を介して前記フードにコンパクトに及び取り外し可能に詰めてグローブを形成するように構成されており、前記グローブはユーザが前記フードポケットに手を入れることによって装着され、前記耐熱層がユーザの手を熱から保護するグローブの壁を形成することを特徴とするタオル。
【請求項２９】
請求項２８に記載のタオルにおいて、前記グローブが前記シートを束にして折りたたんで、この束を前記フードの開口を介して前記フードの中に詰めることによって形成されることを特徴とするタオル。
【請求項３０】
請求項２９に記載のタオルにおいて、前記フードの開口が第１の取り外し可能なシールを具え、前記第１の取り外し可能なシールが、前記折りたたんだシートを前記フードに詰めるときに当該折りたたんだシートの周囲のフード開口を選択的に縮めて折りたたんだシートを取り外し可能に詰め、及び、前記フード開口を広げて前記折りたたんだシートを前記フードから取り出せるようにしたことを特徴とするタオル。
【請求項３１】
請求項２８乃至３０のいずれか１項に記載のタオルにおいて、前記第１の取り外し可能なシールが、前記フード開口の周辺部に設けたチャネルの周囲を通したコードを具えることを特徴とするタオル。
【請求項３２】
請求項２８乃至３１のいずれか１項に記載のタオルにおいて、前記耐熱層が前記フードの一表面に配置されていることを特徴とするタオル。
【請求項３３】
請求項２８乃至３２のいずれか１項に記載のタオルが、前記ポケットの中に配置した指／親指保持部を具えることを特徴とするタオル。
【請求項３４】
請求項３３に記載のタオルにおいて、前記指／親指保持部が調整可能であることを特徴とするタオル。
【請求項３５】
請求項３４に記載のタオルにおいて、前記指／親指保持部が、当該指／親指保持部の周囲を選択的に締める及び／又は緩めることができるフックアンドループ型締結ストラップを用いて調整可能であることを特徴とするタオル。
【請求項３６】
請求項２８乃至３５のいずれか１項に記載のタオルにおいて、前記ポケットが二次的に取り外し可能なシールを具えることを特徴とするタオル。
【請求項３７】
請求項３６に記載のタオルにおいて、前記二次的に取り外し可能なシールがフックアンドループ型締結手段を具えることを特徴とするタオル。
【請求項３８】
請求項２８乃至３７のいずれか１項に記載のタオルにおいて、前記フードを前記シートに取り外し可能に取り付けることができることを特徴とするタオル。
【請求項３９】
請求項３８に記載のタオルにおいて、前記フードをフックアンドループ型締結手段を用いて前記シートに取り外し可能に取り付けることができることを特徴とするタオル。
【請求項４０】
請求項２８乃至３９のいずれか１項に記載のタオルにおいて、前記シートを物体の周りに巻いて比較的コンパクトな束を形成するように構成されており、前記フードが前記比較的コンパクトな束を取り外し可能に詰めるように構成されており、前記物体を詰めるぴったり合ったエンクロージャを提供することを特徴とするタオル。
【請求項４１】
請求項４０に記載のタオルにおいて、前記物体が調理ポットを具えることを特徴とするタオル。
【請求項４２】
請求項４０又は４１に記載のタオルにおいて、ぴったり合ったエンクロージャとして構成する場合に、吸水層を当該エンクロージャの内部に設けたことを特徴とするタオル。
【請求項４３】
請求項４０乃至４２のいずれか１項に記載のタオルにおいて、ぴったり合ったエンクロージャとして構成する場合に、前記フードポケットが前記ぴったり合ったエンクロージャの外側に設けられており、ユーザによってアクセス可能であることを特徴とするタオル。
【請求項４４】
請求項２８乃至４３のいずれか１項に記載のタオルにおいて、前記フードが前記物体の周りで独立型のぴったり合ったエンクロージャを形成するように構成されていることを特徴とするタオル。
【請求項４５】
請求項２８乃至４４のいずれか１項に記載のタオルにおいて、前記フードポケットが一のカトラリィを保持するように構成した少なくとも一の保持手段を具えることを特徴とするタオル。
【請求項４６】
請求項４５に記載のタオルにおいて、前記保持手段がループ材を具えることを特徴とするタオル。
【請求項４７】
請求項４５又は４６に記載のタオルにおいて、前記保持手段が請求項３３に記載の指／親指保持部を具えることを特徴とするタオル。
【請求項４８】
請求項２８乃至４７のいずれか１項に記載のタオルにおいて、
前記ぴったり合ったエンクロージャ；  
前記グローブ；
の構成のうちの少なくとも一つをそのまま取り外し可能に固定する固定手段を具えることを特徴とするタオル。
【請求項４９】
請求項４８に記載のタオルにおいて、前記固定手段が：
フックアンドループ型ファスナ；
スナップファスナ；  
クリップ；
のうちの少なくとも一つを具えることを特徴とするタオル。
【請求項５０】
請求項２８乃至４９のいずれか１項に記載のタオルにおいて、前記シートが：
正方形の構成；
長方形の構成；
のうちの少なくとも一つを具えることを特徴とするタオル。
【請求項５１】
請求項２８乃至５０のいずれか１項に記載のタオルにおいて、前記吸水層が：
コットン；
約９２％のビスコースと８％のポリプロピレンを具える材料；
約８５％のポリエステルと１５％のナイロンを具える材料；
のうちの少なくとも一つを具えることを特徴とするタオル。
【請求項５２】
請求項２８乃至５１のいずれか１項に記載のタオルが耐水層を具えることを特徴とするタオル。
【請求項５３】
請求項５２に記載のタオルにおいて、前記耐水層が前記フードの上に配置されていることを特徴とするタオル。
【請求項５４】
請求項５２又は５３に記載のタオルにおいて、前記耐水層が前記フードに対して取り外し可能に取り付けられていることを特徴とするタオル。
【請求項５５】
第１のポーチと第２のポーチ；を具えるタオルにおいて、
前記第１のポーチが第１の開口と吸水性材料を具え、前記第１のポーチが前記第２のポーチより比較的大きく；
前記第２のポーチが第２の開口を具え、前記第２のポーチが前記第１のポーチのエッジから外側へ離れて延在しており、前記第１の開口が前記第２の開口の近傍において、当該第２の開口の反対側に設けられており；
前記第１のポーチを前記第２のポーチの中にコンパクトかつ取り出し可能に詰めてグローブを形成し、当該グローブがユーザが前記第１のポーチに手を挿入することによって装着できることを特徴とするタオル。
【請求項５６】
請求項５５に記載のタオルにおいて、前記第１及び第２のポーチが：
長方形の構成；
正方形の構成；
円形の構成；
のうちの少なくとも一つを具えることを特徴とするタオル。
【請求項５７】
請求項５５又は５６に記載のタオルにおいて、前記第１のポーチが調理ポットを取り出し可能に収納するぴったり合ったエンクロージャを提供することを特徴とするタオル。
【請求項５８】
請求項５５乃至５７のいずれか１項に記載のタオルにおいて、前記第１および第２のポーチが、前記第１及び第２の開口をそれぞれ取り出し可能に閉じる手段を具えることを特徴とするタオル。
【請求項５９】
請求項５５乃至５８のいずれか１項に記載のタオルにおいて、前記第１及び／又は第２の開口を取り出し可能に閉じる手段が：
フックアンドループ型締結手段；
コードとトグル型手段；
のうちの少なくとも一つを具えることを特徴とするタオル。
【請求項６０】
請求項５５乃至５９のいずれか１項に記載のタオルにおいて、前記第１のポーチを前記第２のポーチに取り外し可能に取り付けることができることを特徴とするタオル。
【請求項６１】
請求項６０に記載のタオルにおいて、前記第１のポーチを前記第２のポーチに取り外し可能に取り付ける手段が：
フックアンドループ型ファスナ；
スナップファスナ；  
クリップ；
のうちの少なくとも一つを具えることを特徴とするタオル。
【請求項６２】
請求項５５乃至６１のいずれか１項に記載のタオルにおいて、前記第１のポーチ及び／又は第２のポーチがコットン材料を具えることを特徴とするタオル。
【請求項６３】
請求項５５乃至６２のいずれか１項に記載のタオルが耐熱層を具え、前記タオルをグローブとして構成されている場合に、前記耐熱層がユーザの手を熱から保護するグローブの壁を形成することを特徴とするタオル。
【請求項６４】
請求項６３に記載のタオルにおいて、前記耐熱層が前記第２のポーチの上に設けられていることを特徴とするタオル。
【請求項６５】
請求項５５乃至６４のいずれか１項に記載のタオルが指／親指保持部を具えることを特徴とするタオル。
【請求項６６】
請求項６５に記載のタオルにおいて、前記指／親指保持部が調整可能であることを特徴とするタオル。
【請求項６７】
請求項６５又は６６に記載のタオルにおいて、前記指／親指保持部が、当該指／親指保持部の周囲を選択的に締める及び／又は緩めることができるフックアンドループ型締結ストラップを用いて調整可能であることを特徴とするタオル。
【請求項６８】
フレキシブル容器において：
耐熱層と；
第１の開口と第１の取り外し可能なシールを有する第１の収納コンパートメントと；
第２の開口と第２の取り外し可能なシールを有する第２の収納コンパートメントと；を具え、
前記第１及び第２の収納コンパートメントが互いに隣接しており、又、バリヤによって離隔されており；
前記第１の収納コンパートメントが、ぴったり合った態様で物体を取り出し可能に収納するように構成されており；
前記第２の収納コンパートメントが反転してユーザがこの反転した第１の収納コンパートメント内に手を入れることによって装着可能なグローブを形成し、前記フレキシブル容器がグローブとして構成されている場合に、前記耐熱層が前記ユーザの手を熱から保護するグローブの壁を形成することを特徴とするフレキシブル容器。
【請求項６９】
請求項６８に記載のフレキシブル容器が吸水性層を具えることを特徴とするフレキシブル容器。
【請求項７０】
請求項６９に記載のフレキシブル容器において、前記吸水性層が前記フレキシブル容器の内側表面上に配置されていることを特徴とするフレキシブル容器。
【請求項７１】
請求項６８乃至７０のいずれか１項に記載のフレキシブル容器が前記第１の収納コンパートメント内に設けた少なくとも一の指／親指保持部を具えることを特徴とするフレキシブル容器。
【請求項７２】
請求項７１に記載のタオルにおいて、前記指／親指保持部が調整可能であることを特徴とするタオル。
【請求項７３】
請求項７１又は７２に記載のタオルにおいて、前記指／親指保持部が、当該指／親指保持部の周囲を選択的に締める及び／又は緩めることができるフックアンドループ型締結ストラップを用いて調整可能であることを特徴とするタオル。
【請求項７４】
請求項６８乃至７３のいずれか１項に記載のフレキシブル容器が、一のカトラリィを保持するように構成された第１の収納コンパートメント内に配置した保持手段を具えることを特徴とするフレキシブル容器。
【請求項７５】
請求項７４に記載のフレキシブル容器において、前記保持手段が請求項７１に記載の親指／指保持部を具えることを特徴とするフレキシブル容器。
【請求項７６】
請求項６８乃至７５のいずれか１項に記載のフレキシブル容器において、前記第１及び／又は第２の取り外し可能なシールが：
フックアンドループ型の締結手段と；
コードとトグル型の手段と；
のうちの少なくとも一つを具えることを特徴とするフレキシブル容器。
【請求項７７】
請求項６８乃至７６のいずれか１項に記載のフレキシブル容器が：
ベル型の構成と；
長方形の構成と；
正方形の構成と；
のうちの少なくとも一つを具えることを特徴とするフレキシブル容器。
【請求項７８】
請求項６８乃至７７のいずれか１項に記載のフレキシブル容器において、耐水性層を具えることを特徴とするフレキシブル容器。
【請求項７９】
周辺部を具えるシートと；
前記周辺部を互いに引っ張る手段であって、物体を取り出し可能に前記シート内に収納できる手段と；を具えるタオルにおいて、
前記シートの第１の面に取り付けるグローブであって、前記シートの第１の面に取り付けるときに、前記グローブがアイテムを収納するポケットを提供するように構成されていることを特徴とするタオル。
【請求項８０】
請求項７９に記載のタオルにおいて、前記グローブを前記シートの第１の表面に取り外し可能に取り付けることができることを特徴とするタオル。
【請求項８１】
請求項８０に記載のタオルにおいて、前記グローブを前記第１の表面の一部に取り外し可能に取り付けることができ、前記シートを物体と取り出し可能に収納するために互いに引っ張ったときに、前記グローブがアイテムを収納するためにアクセス可能であることを特徴とするタオル。
【請求項８２】
請求項７９乃至８１のいずれか１項に記載のタオルにおいて、前記グローブが開口と、当該開口を取り出し可能に閉じる閉鎖手段とを具えることを特徴とするタオル。
【請求項８３】
請求項８２に記載のタオルにおいて、前記閉鎖手段がフックアンドループ型締結手段を具えることを特徴とするタオル。
【請求項８４】
請求項７９乃至８３のいずれか１項に記載のタオルにおいて、前記グローブを前記シートの第１の表面に取り外し可能に取り付ける手段が、フックアンドループ型ファスナを具えることを特徴とするタオル。
【請求項８５】
請求項７９乃至８４のいずれか１項に記載のタオルにおいて、前記シートが実質的に円形であるか、曲線状の周辺を具えることを特徴とするタオル。
【請求項８６】
請求項７９乃至８５のいずれか１項に記載のタオルにおいて、前記周辺部を互いに引っ張る手段が、前記周辺部に設けたチャネルの周囲を通した調整可能なコードを具えることを特徴とするタオル。
【請求項８７】
請求項７９乃至８６のいずれか１項に記載のタオルにおいて、前記シートの周辺部に沿ってスペースを空けたインターバルで切り欠き部が設けられていることを特徴とするタオル。
【請求項８８】
請求項７９乃至８７のいずれか１項に記載のタオルが耐熱層を具え、前記耐熱層が前記ユーザの手を熱から保護するグローブの壁を形成することを特徴とするタオル。
【請求項８９】
請求項７９乃至８８のいずれか１項に記載のタオルにおいて、前記グローブが指／親指保持部を具えることを特徴とするタオル。
【請求項９０】
請求項８９に記載のタオルにおいて、前記指／親指保持部が調整可能であることを特徴とするタオル。
【請求項９１】
請求項８９又は９０に記載のタオルにおいて、前記指／親指保持部が、当該指／親指保持部の周囲を選択的に締める及び／又は緩めることができるフックアンドループ型締結ストラップを用いて調整可能であることを特徴とするタオル。
【請求項９２】
請求項８９乃至９１のいずれか１項に記載のタオルにおいて、前記指／親指保持部がカトラリィホルダとしても機能するように構成されていることを特徴とするタオル。
【請求項９３】
フレキシブルスリーブであって、当該スリーブの対向する端部に取り出し可能に閉じることができる第１及び第２の開口を有し、物体の周りにぴったり合うエンクロージャを提供するように構成されているフレキシブルスリーブと；
前記スリーブの第１の面に取り付けたグローブであって、前記スリーブの第１の面に取り付けたときに、アイテムを収納するポケットを提供するように構成されているグローブと；
を具えることを特徴とするタオル。
【請求項９４】
請求項９３に記載のタオルにおいて、前記グローブが前記スリーブの第１の面に取り外し可能に取り付けることができることを特徴とするタオル。
【請求項９５】
請求項９４に記載のタオルにおいて、前記グローブが前記スリーブの内面に取り外し可能に取り付けることが可能であり、前記スリーブが調理ポットを詰める場合に、ポケットとして機能する前記グローブにアクセス可能であることを特徴とするタオル。
【請求項９６】
請求項９４又は９５に記載のタオルにおいて、前記グローブを前記スリーブに取り外し可能に取り付ける手段が、フックアンドループ型締結手段を具えることを特徴とするタオル。
【請求項９７】
請求項９３乃至９６のいずれか１項に記載のタオルにおいて、前記グローブが耐熱層を具えることを特徴とするタオル。
【請求項９８】
請求項９３乃至９７のいずれか１項に記載のタオルにおいて、前記第１及び／又は第２の開口を取り出し可能に閉じる手段が、前記第１及び第２の開口の周辺部に配置した調整可能なコードとトグルを具えることを特徴とするタオル。
【請求項９９】
請求項９３乃至９８のいずれか１項に記載のタオルにおいて、前記グローブが指／親指保持部を具えることを特徴とするタオル。
【請求項１００】
請求項９９に記載のタオルにおいて、前記指／親指保持部が調整可能であることを特徴とするタオル。
【請求項１０１】
請求項９９又は１００に記載のタオルにおいて、前記指／親指保持部が、当該指／親指保持部の周囲を選択的に締める及び／又は緩めることができるフックアンドループ型締結ストラップを用いて調整可能であることを特徴とするタオル。
【請求項１０２】
請求項９９乃至１０１のいずれか１項に記載のタオルにおいて、前記指／親指保持部がカトラリィホルダとしても機能するように構成されていることを特徴とするタオル。
【請求項１０３】
請求項９９乃至１０２のいずれか１項に記載のタオルが、前記ユーザの手の周りで前記グローブを調整可能に固定する手段を具えることを特徴とするタオル。
【請求項１０４】
請求項１０３に記載のタオルにおいて、前記ユーザの手の周りで前記グローブを調整可能に固定する手段が、前記グローブの開口に配置した調整可能なフックアンドループ型締結ストラップの使用を具えることを特徴とするタオル。
【請求項１０５】
請求項１０３又は１０４のいずれか１項に記載のタオルにおいて、前記ユーザの手の周りで前記グローブを調整可能に固定する手段が、前記タオルの少なくとも一の開口において取り外し可能に閉じるように構成されたコード及び／又はトグルの使用を具えることを特徴とするタオル。
【請求項１０６】
請求項１０３乃至１０５のいずれか１項に記載のタオルが、前記ユーザの手の周囲で前記グローブを調整可能に固定する手段を具えることを特徴とするタオル。
【請求項１０７】
請求項１０６に記載のタオルにおいて、前記ユーザの手の周囲で前記グローブを調整可能に固定する手段が、前記グローブの開口に配置した調整可能なフックアンドループ型締結ストラップの使用を具えることを特徴とするタオル。
【請求項１０８】
請求項１０６又は１０７に記載のタオルにおいて、前記ユーザの手の周囲で前記グローブを調整可能に固定する手段が、前記フレキシブル容器の少なくとも一の開口において取り外し可能に閉じるように構成されたコード及び／又はトグルの使用を具えることを特徴とするタオル。
【請求項１０９】
請求項４乃至２７、３１乃至５４、５９乃至６７、８６乃至９２、及び９８のいずれか１項に記載のタオルにおいて、前記コードの少なくとも一の自由端が持ち手を形成するように前記タオルに取り付けるように構成されていることを特徴とするタオル。
【請求項１１０】
請求項７６乃至７８のいずれか１項に記載のフレキシブル容器において、前記コードの少なくとも一の自由端が持ち手を形成するように前記フレキシブル容器に取り付けるように構成されていることを特徴とするフレキシブル容器。
【請求項１１１】
請求項１乃至１１０のいずれか１項に記載のタオルにおいて、前記吸水性材料が：
コットン；
約９２％のビスコースと８％のポリプロピレンを具える材料；
約８５％のポリエステルと１５％のナイロンを具える材料；
のうちの少なくとも一つを具えることを特徴とするタオル。
【請求項１１２】
請求項１乃至１１１のいずれか１項に記載のタオルが耐水層を具えることを特徴とするタオル。
【請求項１１３】
請求項１乃至１１２のいずれか１項に記載のタオルにおいて、前記耐水層を取り外し可能に取り付けることができることを特徴とするタオル。
【請求項１１４】
請求項６８乃至７８のいずれか１項に記載のフレキシブル容器が、耐水層を具えることを特徴とするフレキシブル容器。
【請求項１１５】
請求項１１４に記載のフレキシブル容器において、前記耐水層を取り外し可能に取り付けることができることを特徴とするフレキシブル容器。
【請求項１１６】
請求項６８乃至７８のいずれか１項に記載のフレキシブル容器において、前記吸水性材料が：
コットン；
約９２％のビスコースと８％のポリプロピレンを具える材料；
約８５％のポリエステルと１５％のナイロンを具える材料；
のうちの少なくとも一つを具えることを特徴とするフレキシブル容器。
【請求項１１７】
請求項１乃至１１６のいずれか１項に記載のタオルが、その上に設けたテーマ証印を具えることを特徴とするタオル。
【請求項１１８】
請求項１１７に記載のタオルにおいて、前記テーマ証印が選択的に交換可能であることを特徴とするタオル。
【請求項１１９】
請求項１１７又は１１８に記載のタオルにおいて、前記テーマ証印が：
ロゴ；
テーマスポーツの表示；
漫画キャラクタの表示；
のうちの少なくとも一つを具えることを特徴とするタオル。
【請求項１２０】
請求項６８乃至７８のいずれか１項に記載のフレキシブル容器が、その上に設けたテーマ証印を具えることを特徴とするフレキシブル容器。
【請求項１２１】
請求項１２０に記載のフレキシブル容器において、前記テーマ証印が選択的に交換可能であることを特徴とするフレキシブル容器。
【請求項１２２】
請求項１２０又は１２１に記載のタオルにおいて、前記テーマ証印が：
ロゴ；
テーマスポーツの表示；
漫画キャラクタの表示；
のうちの少なくとも一つを具えることを特徴とするタオル。
【手続補正書】
【提出日】平成19年2月19日(2007.2.19)
【手続補正１】
【補正対象書類名】特許請求の範囲
【補正対象項目名】全文
【補正方法】変更
【補正の内容】
【特許請求の範囲】
【請求項１】
多目的キャンピングアクセサリ用のフレキシブル容器において：
取り出し可能に閉じることができる開口と；
前記開口を介してアクセス可能な第１の収納コンパートメントと；
前記第１の収納コンパートメントからバリヤによって分離されている第２の収納コンパートメントと；を具え、
前記第１のコンパートメントが前記開口を介してユーザの手を受けるように構成されていることを特徴とするフレキシブル容器。
【請求項２】
請求項１に記載のフレキシブル容器において、前記第１のコンパートメントが、容器を内側にひっくり返したときにユーザの手を受けるように構成されていることを特徴とするフレキシブル容器。
【請求項３】
請求項２に記載のフレキシブル容器が、前記第１のコンパートメントの内側表面に配置した吸水性材料を具え、この吸水性材料が、前記第１のコンパートメントを内側にひっくり返したときに露出することを特徴とするフレキシブル容器。
【請求項４】
請求項１乃至３のいずれか１項に記載のフレキシブル容器が、前記容器の外側表面の上に延在する耐熱材料を具えることを特徴とするフレキシブル容器。
【請求項５】
請求項１乃至４のいずれか１項に記載のフレキシブル容器において、少なくとも一の指及び／又は親指保持部が前記第１のコンパートメントの内側表面に配置されていることを特徴とするフレキシブル容器。
【請求項６】
請求項１乃至５のいずれか１項に記載のフレキシブル容器において、前記第１の収納コンパートメントがグローブとして機能することを特徴とするフレキシブル容器。
【請求項７】
請求項６に記載のフレキシブル容器において、前記グローブを前記シートの第１の表面に取り外し可能に取りつけることができることを特徴とするフレキシブル容器。
【請求項８】
請求項６又は７に記載のフレキシブル容器において、前記グローブが取り外し可能なストラップを具え、前記取り外し可能なストラップが前記グローブを調整可能に締めることができることを特徴とするフレキシブル容器。
【請求項９】
請求項１乃至８のいずれか１項に記載のフレキシブル容器において、前記第２の収納コンパートメントがタオルとして機能することを特徴とするフレキシブル容器。
【請求項１０】
請求項９に記載のフレキシブル容器において、前記タオルが：
周辺部を具えるシートと；
前記周辺部を互いに引っ張る手段であって、物体を前記シート内に収納できる手段と；
を具えることを特徴とするフレキシブル容器。
【請求項１１】
請求項９又は１０に記載のフレキシブル容器において、前記タオルが：
フレキシブルスリーブであって、前記スリーブの対向する端部において取り出し可能に閉じることができる第１及び第２の開口を有するフレキシブルスリーブ；
を具えることを特徴とするフレキシブル容器。
【請求項１２】
請求項９乃至１１のいずれか１項に記載のフレキシブル容器において、前記タオルが前記シートの上に配置した実質的に耐水性の材料層を更に具えることを特徴とするフレキシブル容器。
【請求項１３】
請求項１２に記載のフレキシブル容器において、前記耐水性材料層が前記シートに着脱自在であることを特徴とするフレキシブル容器。
【請求項１４】
タオルにおいて：
吸水性材料を具えるシートと；
前記シートのエッジから外側に延在するフードと；
前記フードの開口を選択的に広げる及び／又は縮める手段と；を具え、
前記広げる／縮める手段によって前記開口が開いているときに、前記シートが前記フードの中に折りたたむことができ、次いで前記広げる／縮める手段が展開して前記フードがグローブを形成することを特徴とするタオル。
【請求項１５】
請求項１４に記載のタオルにおいて、前記グローブが前記シートを束にして折りたたんで、この束を前記フードの開口を介して前記フードの中に詰めることによって形成されることを特徴とするタオル。
【請求項１６】
請求項１５に記載のタオルにおいて、前記束が前記フード内に配置されているときに、前記フードの開口を前記束の周囲で縮めて前記グローブをそのまま保持することを特徴とするタオル。
【請求項１７】
請求項１４乃至１６のいずれか１項に記載のタオルが、前記フードの一表面に設けた耐熱材料を具えることを特徴とするタオル。
【請求項１８】
請求項１７に記載のタオルにおいて、前記耐熱材料が、使用に際してユーザの手に隣接する前記形成したグローブの外側表面を形成することを特徴とするタオル。
【請求項１９】
請求項１４乃至１８のいずれか１項に記載のタオルにおいて、前記開口を選択的に広げる及び／又は縮める手段が、前記フードの開口の周辺部に配置されたチャネルの周囲に通したコードを具えることを特徴とするタオル。
【請求項２０】
請求項１４乃至１９のいずれか１項に記載のタオルにおいて、前記フードの第２の側に配置したポケットを具えることを特徴とするタオル。
【請求項２１】
請求項２０に記載のタオルにおいて、前記ポケットの開口が、当該ポケットの開口を閉じる二次的な取り外し可能なシールを具えることを特徴とするタオル。
【請求項２２】
請求項１４乃至２１のいずれか１項に記載のタオルにおいて、前記フードを前記シートに取り外し可能に取り付けることができることを特徴とするタオル。
【請求項２３】
請求項１４乃至２２のいずれか１項に記載のタオルにおいて、前記シートの第１の側に物体を置いて、前記物体の周りを前記シートで包んで比較的コンパクトな束を形成し、ついでこのコンパクトな束の上で前記フードを締めることによって、前記物体を収納するぴったり合ったエンクロージャを形成できることを特徴とするタオル。
【請求項２４】
請求項１４乃至２２のいずれか１項に記載のタオルにおいて、物体を前記フードの開口内において、前記物体の周囲で前記フードを閉じることによって、物体を収納するぴったり合ったエンクロージャを形成できることを特徴とするタオル。
【請求項２５】
請求項２３又は２４に記載のタオルにおいて、物体にぴったり合うエンクロージャを形成するように構成されている場合、前記吸水性材料が前記エンクロージャの内側に配置されることを特徴とするタオル。
【請求項２６】
請求項２３乃至２５のいずれか１項に記載のタオルにおいて、請求項２０又は２１に従属する場合に、物体にぴったり合うエンクロージャを形成するように構成されている場合、前記フードポケットが前記エンクロージャの外側に向いた面の上に配置され、前記ユーザによってアクセス可能であることを特徴とするタオル。
【請求項２７】
請求項１４乃至２６のいずれか１項に記載のタオルが、前記シートと前記フードを：
ぴったり合ったエンクロージャ；
グローブ；
のうちの少なくとも一つを維持するように取り外し可能に互いに保持する締結手段を具えることを特徴とするタオル。
【請求項２８】
タオルにおいて：
吸水性材料を具える第１のポーチと；
前記第１のポーチの表面に取り付けた第２のポーチと；を具え、
前記第１のポーチと第２のポーチが互いに、第１の構成でタオルを提供し、第２の構成でグローブを提供することを特徴とするタオル。
【請求項２９】
請求項２８に記載のタオルにおいて、前記第１のポーチを内側にひっくり返してその中に前記第２のポーチを収納し前記第１の構成のタオルを提供することを特徴とするタオル。
【請求項３０】
請求項２８又は２９に記載のタオルにおいて、前記第１のポーチが前記第２のポーチに取り外し可能に取り付けることができることを特徴とするタオル。
【請求項３１】
請求項２８乃至３０のいずれか１項に記載のタオルにおいて、前記第２のポーチが、前記第２の構成にあるときにその外側表面において、パッド付表面を具えることを特徴とするタオル。
【請求項３２】
請求項３１に記載のタオルにおいて、前記パッド付表面が耐熱性であることを特徴とするタオル。
【請求項３３】
請求項２８乃至３２のいずれか１項に記載のタオルにおいて、前記第１のポーチが前記第２のポーチより比較的大きいことを特徴とするタオル。
【請求項３４】
請求項２８乃至３３のいずれか１項に記載のタオルにおいて、前記第１及び第２のポーチがそれぞれ第１及び第２の開口を具え、前記第１のポーチが前記第２のポーチに前記第１の開口が前記第２の開口の横に配置されるように取り付けられていることを特徴とするタオル。
【請求項３５】
請求項２８乃至３４のいずれか１項に記載のタオルが更に、前記第１の構成にあるときに前記第１及び第２の開口を取り出し可能に閉じるか、あるいは、前記第２の構成にあるときに前記第１の開口を取り出し可能に閉じる手段を具えることを特徴とするタオル。
【国際調査報告】
2008502381.tif 000014
2008502381.tif 000015
2008502381.tif 000016
2008502381.tif 000017